(57)【要約】【課題】操作性の向上と小型化を実現できるレンズ鏡筒を提供する。【解決手段】固定枠１０３と固定枠１０３の外周を回転可能に保持されるズームリング１０１と接触部材１０８と付勢部材１０４とを備える。ズームリング１０１は、第１〜第４の摺動面を有する。接触部材１０８が第１の摺動面１０１ａを移動する際は、付勢部材１０４に対して第１の荷重が付加され、接触部材１０８が第２の摺動面を移動する際は、付勢部材１０４に対して第１の荷重よりも大きな第２の荷重が付加され、接触部材１０８が第３の摺動面を移動する際は、付勢部材１０４に対して第１の荷重から第２の荷重まで変化する荷重が付加される。【選択図】図１
2015099349.tif 000002
【特許請求の範囲】
【請求項１】
レンズ鏡筒であって、
筐体を保持する固定枠と、
前記固定枠の外周を回転可能に保持されるリングと、
前記固定枠と前記リングとの間に、前記固定枠の外周に沿って配置される作用部と、
前記固定枠と前記リングとの間に、前記固定枠の外周に沿って配置される付勢部材と、
を備え、
前記リングは、撮影時に利用される第１作用面と、前記固定枠に把持される前記筐体が前記固定枠内に沈胴する際に利用される第２作用面と、前記第１作用面と前記第２作用面との間に形成される第３作用面とを有し、
前記作用部は、前記第１作用面、前記第２作用面および前記第３作用面を移動し、
前記付勢部材は、前記作用部を前記固定枠の外周側に付勢し、
前記作用部が前記第１作用面を移動する際は、前記付勢部材に対して第１の荷重が付加され、
前記作用部が前記第２作用面を移動する際は、前記付勢部材に対して前記第１の荷重よりも大きな第２の荷重が付加され、
前記作用部が前記第３作用面を移動する際は、前記付勢部材に対して前記第１の荷重から前記第２の荷重まで変化する荷重が付加される、
レンズ鏡筒。
【請求項２】
レンズ鏡筒であって、
筐体を保持する固定枠と、
前記固定枠の外周を回転可能に保持されるリングと、
前記固定枠と前記リングとの間に、前記固定枠の外周に沿って配置される作用部と、
前記固定枠と前記リングとの間に、前記固定枠の外周に沿って配置される付勢部材と、
を備え、
前記リングは、撮影時に利用される第１作用面と、前記固定枠に把持される前記筐体が前記固定枠内に沈胴する際に利用される第２作用面と、前記第１作用面と前記第２作用面の間に形成される第３作用面とを有し、
前記作用部は、前記第１作用面、前記第２作用面および前記第３作用面を移動し、
前記付勢部材は、前記作用部を前記固定枠の外周側に付勢し、
前記第１作用面は、前記第２作用面より、前記リングの外周に近く、
前記第３作用面は前記第１作用面の端と前記第２作用面の端とをつないでいる、
レンズ鏡筒。
【請求項３】
前記作用部は、前記第２作用面および前記第３作用面と線接触する半円筒形状の接触部材を有する、
請求項１または請求項２に記載のレンズ鏡筒。
【請求項４】
前記第２作用面の前記リングの外周に沿った第１の方向の長さが、前記接触部材の前記第１の方向の長さより長い、
請求項３に記載のレンズ鏡筒。
【請求項５】
前記第１作用面、前記第２作用面および前記第３作用面上を移動する接触部材が配置される第１領域と、前記付勢部材が配置される第２領域とが、異なる領域である、
請求項１〜４のいずれかに記載のレンズ鏡筒。
【発明の詳細な説明】
【技術分野】
【０００１】
本開示は、交換レンズを含むレンズ鏡筒に関する。
【背景技術】
【０００２】
特許文献１は、手動操作でズ−ミングする駆動装置を開示する。この駆動装置は、レンズ移動手段が撮影準備の手動操作に連動してズ−ムレンズを収納位置から撮影領域（撮影が可能な位置）に繰り出させる。また、このレンズ移動手段は、撮影が可能な位置に繰り出したズ−ムレンズを手動ズ−ム操作にしたがってズ−ミング動作させる。さらに、このレンズ移動手段は、レンズの手動収納操作に連動して撮影が可能な位置から収納位置にズ−ムレンズを移動させる。これにより、ズ−ムレンズは手動操作によって撮影が可能な位置と所定の収納位置との間を移動することができる。また、撮影準備状態と非撮影状態とを手感をもって認識することができる。
【先行技術文献】
【特許文献】
【０００３】
【特許文献１】特開平７−４３５９３号公報
【発明の概要】
【発明が解決しようとする課題】
【０００４】
本開示におけるレンズ鏡筒は、操作性の向上と小型化を実現できるレンズ鏡筒を提供する。
【課題を解決するための手段】
【０００５】
本開示におけるレンズ鏡筒は、筐体  を保持する固定枠と、固定枠の外周を回転可能に保持されるリングと、固定枠とリングとの間に、固定枠の外周に沿って配置される作用部と、固定枠とリングとの間に、固定枠の外周に沿って配置される付勢部材と、を備え、リングは、撮影時に利用される第１作用面と、固定枠に把持される筐体が固定枠内に沈胴する際に利用される第２作用面と、第１作用面と第２作用面との間に形成される第３作用面とを有し、作用部は、第１作用面、第２作用面および第３作用面を移動し、付勢部材は、作用部を固定枠の外周側に付勢し、作用部が第１作用面を移動する際は、付勢部材に対して第１の荷重が付加され、作用部が第２作用面を移動する際は、付勢部材に対して第１の荷重よりも大きな第２の荷重が付加され、作用部が第３作用面を移動する際は、付勢部材に対して第１の荷重から第２の荷重まで変化する荷重が付加される。
【０００６】
また、本開示におけるレンズ鏡筒は、筐体を保持する固定枠と、固定枠の外周を回転可能に保持されるリングと、固定枠とリングとの間に、固定枠の外周に沿って配置される作用部と、固定枠とリングとの間に、固定枠の外周に沿って配置される付勢部材と、を備え、リングは、撮影時に利用される第１作用面と、固定枠に把持される筐体が固定枠内に沈胴する際に利用される第２作用面と、第１作用面と第２作用面との間に形成される第３作用面とを有し、作用部は、第１作用面、第２作用面および第３作用面を移動し、付勢部材は、作用部を固定枠の外周側に付勢し、第１作用面は、第２作用面より、リングの外周に近く、第３作用面は前記第１作用面の端と前記第２作用面の端とをつないでいる。
【発明の効果】
【０００７】
本開示におけるレンズ鏡筒は、操作性の向上と小型化を実現できる。
【図面の簡単な説明】
【０００８】
【図１】実施の形態１におけるレンズ鏡筒の斜視図である。
【図２】実施の形態１におけるレンズ鏡筒の斜視図である。
【図３】実施の形態１における固定ユニットの側面図である。
【図４】実施形の態１におけるレンズ鏡筒の沈胴状態での部分断面図である。
【図５】実施の形態１におけるレンズ鏡筒の切替状態での部分断面図である。
【図６】実施の形態１におけるレンズ鏡筒のワイド状態での部分断面図である。
【図７】実施の形態１におけるレンズ鏡筒のテレ状態での部分断面図である。
【図８】実施の形態１の変形例におけるレンズ鏡筒の部分断面の概略図である。
【図９】実施の形態２におけるレンズ鏡筒の斜視図である。
【図１０】実施の形態２におけるレンズ鏡筒の正面図である。
【図１１】実施の形態２におけるレンズ鏡筒の断面図である。
【図１２】実施の形態２の変形例におけるレンズ鏡筒の断面の概略図である。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者らは、当業者が本開示を十分に理解するために添付図面および以下の説明を提供するのであって、これらによって特許請求の範囲に記載の主題を限定することを意図するものではない。
（実施の形態１）
以下、図１〜８を用いて、本実施形態を説明する。
【００１１】
本実施形態では、レンズ鏡筒の一例として、カメラ本体に着脱可能である交換レンズを用いて説明を行う。
［１．交換レンズのレンズ鏡筒構成（図１〜図３）］
図１は、交換レンズにおけるレンズ鏡筒１００の分解斜視図である。
【００１２】
図２はレンズ鏡筒１００を別の角度から見た分解斜視図である。
【００１３】
本実施形態におけるレンズ鏡筒１００は、図２に示すマウント１１０を介してカメラボディと接続される。
【００１４】
レンズ鏡筒１００は、ズームリング１０１と、固定ユニット１０２とを有する。
【００１５】
固定ユニット１０２は、固定枠１０３と、付勢部材１０４と、連結部材１０５と、レバー部材１０６と、レバー回転軸１０７と、接触部材１０８（作用部）と、マウント１１０とを有する。
【００１６】
また図２に示すように、ズームリング１０１は、第１の摺動面１０１ａ（第１作用面の一例）、第２の摺動面１０１ｂ（第２作用面の一例）、第３の摺動面１０１ｃ（第３作用面の一例）、第４の摺動面１０１ｄ、ガイド溝１０１ｅを備える。
【００１７】
以下、図面を参照しながら各構成を具体的に説明する。
【００１８】
筐体１１１はカムフォロワ１１２を有し、固定枠１０３はカム溝１１３を有する。そして、カムフォロワ１１２がカム溝１１３に係合する。この構成により、筐体１１１は固定枠１０３に対して回転可能に保持される。
【００１９】
なお、筐体１１１はズームリング１０１の回転と連動して回転軸Ｚ方向に沿って移動する。
【００２０】
ズームリング１０１は、固定枠１０３の外周に設けられる。ズームリング１０１は、固定枠１０３に対して相対的に回転可能である。また、図１に示すズームリング１０１の回転軸Ｚは、交換レンズの光軸と同一である。
【００２１】
ズームリング１０１の内周側に設けた図２に示すガイド溝１０１ｅは、固定枠１０３の外周側に配置したガイドリブ１０９と嵌合する。また、ガイド溝１０１ｅは、ズームリング１０１が固定枠１０３に対して回転軸Ｚ方向に移動しないように、ズームリング１０１を規制している。
【００２２】
ズームリング１０１の内周側には、回転軸Ｚからの半径の異なる第１の摺動面１０１ａ、及び第２の摺動面１０１ｂが形成されている。ズームリング１０１の内周側には、第１の摺動面１０１ａ、第２の摺動面１０１ｂの間に、第３の摺動面１０１ｃが形成されている。さらに、第２の摺動面１０１ｂの第３の摺動面１０１ｃと反対側の端部には、第４の摺動面１０１ｄが形成されている。第２の摺動面１０１ｂは第１の摺動面１０１ａよりも回転軸Ｚからの半径が小さく設定されている。つまり、第１の摺動面１０１ａはズームリング１０１の外周に近く、第２の摺動面１０１ｂはズームリング１０１の外周から遠い。さらに、第３の摺動面１０１ｃの半径は、第１の摺動面１０１ａにおける回転軸Ｚからの半径から第２の摺動面１０１ｂにおける回転軸Ｚからの半径まで、連続的に変化するように設定されている。つまり、第３の摺動面１０１ｃは、第２の摺動面１０１ｂと第１の摺動面１０１ａとの間に位置し、第２の摺動面１０１ｂと、第１の摺動面１０１ａとをつないでいる。接触部材１０８は、第１の摺動面１０１ａ、第２の摺動面１０１ｂ、第３の摺動面１０１ｃおよび第４の摺動面１０１ｄを移動するように構成される。
【００２３】
固定枠１０３は、付勢部材１０４，連結部材１０５、レバー部材１０６、レバー回転軸１０７および接触部材１０８を保持する。
【００２４】
付勢部材１０４は、固定枠１０３に対して連結部材１０５によって取り付けられる部材である。付勢部材１０４は、固定枠１０３の外周に沿って取り付けられる。また、付勢部材１０４はレバー部材１０６を固定枠１０３の外周方向に付勢する。
【００２５】
連結部材１０５は、付勢部材１０４を固定枠１０３に固定するために利用される部材である。
【００２６】
レバー部材１０６は、付勢部材１０４により固定枠１０３の外周方向に付勢される部材であり、レバー回転軸１０７を回転中心として回動する。レバー部材１０６は、接触部材１０８を有する。レバー部材１０６（作用部）は、第１〜第４の摺動面１０１ａ〜１０１ｄに接触する接触部材１０８（第１領域）と、付勢部材１０４によって付勢される第２領域とを有する。ユーザがズームリング１０１を回転軸Ｚの周りに回転させた場合、接触部材１０８は、ズームリング１０１における第４の摺動面１０１ｄ、第２の摺動面１０１ｂ、第３の摺動面１０１ｃ、および第１の摺動面１０１ａを順に移動する。接触部材１０８は、付勢部材１０４により固定枠１０３の外周方向に付勢されるが、開口部１０３ａにより付勢される位置が規制されている。つまり、接触部材１０８は付勢部材１０４により付勢されている場合でも、固定枠１０３の外周方向に飛び出さないように構成される。
【００２７】
図３は固定ユニットの側面図を示す。
【００２８】
図４（ａ）は図３の回転軸Ｚ方向位置Ｚ１−Ｚ１でカットした部分断面図を示す。
【００２９】
図４（ｂ）は同じくＺ方向位置Ｚ２−Ｚ２でカットした部分断面図を示し、レバー部材１０６および付勢部材１０４の配置構成を説明する断面図である。なお、図４（ａ）、図４（ｂ）は、後述する交換レンズの待機状態となる沈胴状態を示す。この時、接触部材１０８は、第４の摺動面１０１ｄと接している。
【００３０】
レバー回転軸１０７は、回転軸Ｚと平行に固定枠１０３に保持される。レバー部材１０６は、レバー回転軸１０７まわりに回動可能となるように固定枠に支持される。レバー部材１０６の固定枠１０３の外周側を向いた面には、接触部材１０８が保持されている。接触部材１０８は円弧状の部材で、Ｚ２−Ｚ２平面上に円弧形状を有する部材であり、回転軸Ｚ方向に一定の幅を有する。接触部材１０８は例えばＳＵＳ（Ｓｔｅｅｌ  Ｕｓｅ  Ｓｔａｉｎｌｅｓｓ）などの金属ピンをカットした部材で構成され、レバー部材１０６に対して圧入もしくは接着で保持される。レバー部材１０６の固定枠１０３の内周側を向いた面には曲面状作用面１０６ａを有し、レバー回転軸１０７に対して反対側には回転規制面１０６ｂを有している。
【００３１】
付勢部材１０４は、例えば円弧状の板バネで構成される部材である。付勢部材１０４は、固定枠１０３の外周方向に沿って配置されている。付勢部材１０４は円周方向の一端において、ネジ部材の連結部材１０５ａ、ナット部材の連結部材１０５ｂとで挟まれて固定枠１０３に保持されている。付勢部材１０４はレバー部材１０６を付勢するため、固定枠１０３との連結部分は付勢による負荷がかかる。そのため、付勢部材１０４は固定枠１０３に対して直接連結するのではなく、ネジ部材の連結部材１０５ａおよびナット部材の連結部材１０５ｂを介して連結する構成となっている。これにより、付勢部材１０４と固定枠１０３の連結部分の強度が上がる。
【００３２】
付勢部材１０４の固定側と反対の端部は、固定枠１０３に設けた開口部１０３ａに挿入され、レバー部材１０６の曲面状作用面１０６ａに接して矢印Ｆ方向に付勢している。すなわち、レバー部材１０６をレバー回転軸１０７回りに回動する力を与えている。
【００３３】
なお、レバー回転軸１０７の回転中心位置と、付勢部材１０４がレバー部材１０６に付勢力Ｆを作用する点とは、ズームリング１０１の回転軸Ｚから略同一の半径位置となるように配置されている。
【００３４】
上記の説明において、付勢部材１０４は板バネである構成を説明したが、レバー部材１０６に対して付勢できる部材であればよい。付勢部材としては、例えば圧縮コイルばねやねじりコイルばね等を用いて構成することも可能である。
【００３５】
［２．切替トルク（図４〜図７）］
つづいて、切替トルクの作用、切替トルクを発生させる構成について説明する。
【００３６】
図４（ａ）、図５（ａ）、図６（ａ）、図７（ａ）は、図３に示すレンズ鏡筒のＺ１−Ｚ１線でカットした部分断面図である。図４（ｂ）、図５（ｂ）、図６（ｂ）、図７（ｂ）は、図３に示すレンズ鏡筒のＺ２−Ｚ２線でカットした部分断面図である。図４は先述のとおり交換レンズを使用しない待機状態である。図４は、レンズ鏡筒１００の内周側に配置した図示しないレンズ枠が、レンズ鏡筒１００の内部に収納された沈胴状態である。
【００３７】
図５は交換レンズを待機状態から使用状態（ワイド状態）に切り替わる状態を示す図である。
【００３８】
図６は交換レンズの使用状態のうちズームレンズの広角側となるワイド状態を示す図である。図６では、図示しないレンズ枠がレンズ鏡筒１００から回転軸Ｚ方向に繰り出す。
【００３９】
図７は交換レンズの使用状態のうち、ズームレンズの望遠側となるテレ状態を示す図である。
【００４０】
図６に示すワイド状態（広角側）と図７に示すテレ状態（望遠側）との間で、交換レンズは撮影可能状態となる。
（沈胴状態から使用状態への状態遷移に関する説明）
ユーザが交換レンズを使用する場合、沈胴状態からズームリング１０１をＣ．Ｗ方向（クロックワイズ方向：光軸方向被写体側から見て時計回り）に回転操作してワイド状態にし、撮影を行う。そして、焦点距離を変更して撮影したい時は、ユーザはズームリング１０１をワイド状態（広角側）とテレ状態（望遠側）との間で回転操作して、任意の焦点距離に設定して撮影を行う。撮影状態から沈胴状態（待機状態）に戻す場合は、ユーザはズームリング１０１がＣ．Ｃ．Ｗ方向（カウンタークロックワイズ方向：光軸方向被写体側から見て反時計回り）に回転操作する。
【００４１】
図４の沈胴状態（待機状態）では、接触部材１０８は第４の摺動面１０１ｄに接触している。ことのきレバー部材１０６は付勢部材１０４の付勢力Ｆによってレバー回転軸１０７まわりに回転力を受け、回転規制面１０６ｂが固定枠１０３に当接している。ズームリング１０１は固定枠メカ端部（図示せず）との当接により、沈胴状態からＣ．Ｃ．Ｗ方向には回転できない状態にある。
【００４２】
ユーザがズームリング１０１をＣ．Ｗ方向に回転操作すると、接触部材１０８は第４の摺動面１０１ｄ上を摺動して、図５に示すように第２の摺動面１０１ｂと接触する状態になる。接触部材１０８が第４の摺動面１０１ｄから第２の摺動面１０１ｂに移項する間、接触部材１０８はレバー部材１０６と共にレバー回転軸１０７周りに回転する。レバー部材１０６の回転に伴い、レバー部材１０６と接触している付勢部材１０４は付勢力Ｆと反対方向（レンズ鏡筒の中心方向）に変形する。よって、切替状態では、付勢部材１０４の付勢力はＦよりも大きなＦ２となる。ズームリング１０１を回転させるためには付勢部材１０４の増大する付勢力を上回る回転トルク（切替トルク）が必要となる。
【００４３】
なお、レバー部材１０６は曲面状作用面１０６ａで付勢部材１０４と接触しているため、レバー部材１０６と付勢部材１０４との回転方向、変形方向が一致していなくても、レバー部材１０６と付勢部材１０４との接触部は滑らかに曲面状作用面１０６ａ上を移動し、操作トルク変動の発生を抑制できる。
【００４４】
図５に示す切替状態では、接触部材１０８はズームリング１０１と第２の摺動面１０１ｂで接触している。第２の摺動面１０１ｂの半径は同じであるため、切替状態では、レバー部材は、回転しない。ズームリング１０１の操作に必要な回転トルクは、付勢力Ｆ２から生じる回転方向の摩擦力Ｎ２を含む回転トルクＴ２である。また、付勢部材１０４及びレバー部材１０６は、固定枠１０３の内周ｒよりも内側にはみ出さない範囲で変形、もしくは回転する。
【００４５】
ユーザがさらにズームリングをＣ．Ｗ方向に回転させて図６に示す使用状態（ワイド状態）に達すると、付勢部材１０４がレバー部材１０６を付勢しているため、接触部材１０８とレバー部材１０６は第１の摺動面１０１ａと接触する位置まで回転する。このとき、付勢部材１０４の付勢力はＦ２よりも小さいＦ１となる。
【００４６】
使用状態であるワイド状態（図６）からテレ状態（図７）の間でズームリング１０１の操作に必要な回転トルクは、付勢力Ｆ１から生じる回転方向の摩擦力Ｎ１を含む回転トルクＴ１である。使用状態における回転トルクＴ１は切替状態における回転トルクＴ２よりも小さくなる。
【００４７】
テレ状態（図７）では、図示しない固定枠メカ端部との当接により、Ｃ．Ｗ方向には回転できないようになっている。
（使用状態から沈胴状態への状態遷移に関する説明）
ユーザがワイド状態からテレ状態との間でズームリング１０１を回転操作して焦点を合わせ、撮影をする。撮影をした後、交換レンズを待機状態である沈胴状態に戻す場合は、先述と逆の流れとなる。
【００４８】
ユーザがズームリング１０１をＣ．Ｃ．Ｗ方向に回転させると、ワイド状態（図６）で接触部材１０８は第３の摺動面１０１ｃに接触する。ここからさらにズームリング１０１をＣ．Ｃ．Ｗ方向に回転させると、レバー部材１０６がレバー回転軸１０７周りに回転して切替状態（図５）となる。レバー部材１０６の回転に伴い、レバー部材１０６と接触している付勢部材１０４は付勢力Ｆの付勢方向と反対方向に変形する。このとき、付勢部材１０４の付勢力はＦよりも大きなＦ２となるので、ズームリング１０１を回転させるためには付勢部材１０４の増大する付勢力を上回る回転トルク（切替トルク）が必要となる。
【００４９】
以上のように、ユーザは使用状態または待機状態から切替状態に移項する段階で、ズームリング１０１を回転させるために大きな切替トルクが必要となる。言い換えれば、使用状態または待機状態と、切替状態との境界をズームリング１０１の回転操作力の差異が発生する。ユーザはズームリング１０１を回転させる際、操作感の変化によって切替状態であることを認識することができる。
【００５０】
本実施の形態では、使用状態と切替状態、または、待機状態と切替状態とを区別するためのスイッチ押圧等の操作が不要となる。よって、追加のスイッチなどが不要となり、交換レンズを大型化せずに、操作性の向上を実現できる。
【００５１】
また、付勢部材１０４は円弧状の板バネで、固定枠１０３の外周周りに沿うように配置され、一端が固定枠１０３に設けた開口部１０３ａに挿入されている。さらに、レバー回転軸１０７の回転中心位置と、付勢部材１０４がレバー部材１０６に付勢力Ｆを作用する点とが、ズームリング１０１の回転軸Ｚから略同一の半径位置となるように配置されている。そのため、切替トルクが作用する状態までレバー部材１０６が回転しても固定枠１０３の内周側に張り出さない。またレバー部材１０６において、付勢部材１０４と接触する面（曲面状作用面１０６ａ）と、ズームリング１０１の摺動面と接触する接触部材１０８とを、回転軸Ｚ方向に異なる位置で構成している。つまり、付勢部材１０４が配置される領域と、接触部材１０８が配置される領域は互い異なる領域となっている。そのため、レバー部材１０６の半径方向の厚みを薄く構成できる。
【００５２】
以上のように、切替トルクを発生させる各部品を固定枠１０３の内周面からズームリング１０１の外周面の間に構成しており、小型のレンズ鏡筒外装を実現できる。言い換えれば、沈胴状態を有せず、切替トルクの必要のないレンズ鏡筒の外装構成と同じ外径サイズで、沈胴状態を有し切替トルクを作用させる小型のレンズ鏡筒が実現できる。
【００５３】
なお、ズームリング１０１の第３の摺動面１０１ｃの傾斜角度の設定によって、ワイド状態から切替状態への切替トルクを任意に設定できる。また、第４の摺動面１０１ｄの傾斜角度の設定によって、沈胴状態から切替状態への切替トルクを任意に設定できる。
【００５４】
また、接触部材１０８は回転軸Ｚ方向に幅を有しており、ズームリング１０１の第１〜第４の摺動面１０１ａ〜１０１ｄとの接触部は線接触である。よって、繰り返し動作させた場合でも、ズームリング１０１の摺動面が接触圧力によって変形することなく、安定した切替トルク、回転操作トルクを得ることが可能となる。さらには、回転軸Ｚ方向における接触部材１０８の幅は、緩やかな曲面状態であっても構わない。
【００５５】
なお、本開示では、第２の摺動面１０１ｂのズームリング１０１の外周に沿った方向（以降、第１の方向と称する）の長さが、接触部材１０８の第１の方向    の長さより長くなっている。
【００５６】
なお、使用状態であるワイド状態からテレ状態の間で、回転トルクを調整することも可能である。例えば、接触部材１０８はズームリング１０１の第１の摺動面１０１ａと接触していなくてもよい。この場合はレバー部材１０６が固定枠１０３と回転規制面１０６ｂで接触し、ズームリング１０１と接触部材１０８は付勢部材１０４による付勢力Ｆに伴う回転方向の摩擦力を受けないため、軽い回転トルクでの操作が可能となる。
【００５７】
また、接触部材１０８はレバー部材１０６と一体で構成しても構わない。接触部材をレバー部材と同一材料で一体構成とすることで、部品点数を削減することができる。
【００５８】
さらに、レバー部材１０６、接触部材１０８、レバー回転軸１０７を省略し、付勢部材１０４のレバー部材１０６と接触する面に曲面状の突起を設けて、直接、ズームリング１０１の摺動面に付勢する構成としてもよい。この場合、安定した切替トルクを得るためには付勢部材１０４の部品寸法に精度が求められるが、部品点数を削減することができる。
（実施の形態１の変形例）
次に、実施の形態１の変形例について、図８を参照しながら説明する。なお図８では、実施の形態１と同様の構成については、同一の符号を付して、詳細な説明を省略する。図８は実施の形態１の変形例の概略図であり、レバー部材、レバー回転軸などは図示していない。図８では、付勢部材１０４と接触部材１０８が一体形成されているが、この構成に限定されるものではない。
【００５９】
図１〜図７を参照しながら説明した実施の形態１では、付勢部材１０４を固定枠１０３にて保持し、回転するズームリング１０１に第１の摺動面１０１ａ〜第４の摺動面１０１ｄを設けている。一方、図８に示す実施の形態１の変形例では、回転するズームリングに付勢部材１０４を保持し、固定枠１０３に第１の摺動面１０１ａ〜第４の摺動面１０１ｄを設けている。
【００６０】
実施の形態１の変形例でも、実施の形態１と同様の効果を得ることができる。
（まとめ）
本実施の形態のレンズ鏡筒１００は、筐体１１１を保持する固定枠１０３と、固定枠１０３の外周を回転可能に保持されるズームリング１０１と、固定枠１０３とズームリング１０１との間に、固定枠１０３の外周に沿って配置される接触部材１０８と、固定枠１０３とズームリング１０１との間に、固定枠１０３の外周に沿って配置される付勢部材１０４と、を備え、ズームリング１０１は、撮影時に利用される第１の摺動面１０１ａと、固定枠１０３に把持される筐体１１１が固定枠１０３内に沈胴する際に利用される第２の摺動面１０１ｂと、第１の摺動面１０１ａと第２の摺動面１０１ｂとの間に形成される第３の摺動面１０１ｃとを有し、接触部材１０８は、第１の摺動面１０１ａ、第２の摺動面１０１ｂおよび第３の摺動面１０１ｃを移動し、付勢部材１０４は、接触部材１０８を固定枠１０３の外周側に付勢し、接触部材１０８が第１の摺動面１０１ａを移動する際は、付勢部材１０４に対して第１の荷重が付加され、接触部材１０８が第２の摺動面１０１ｂを移動する際は、付勢部材１０４に対して第１の荷重よりも大きな第２の荷重が付加され、接触部材１０８が第３の摺動面１０１ｃを移動する際は、付勢部材１０４に対して第１の荷重から第２の荷重まで変化する荷重が付加される。
【００６１】
また、本実施の形態のレンズ鏡筒１００は、筐体１１１を保持する固定枠１０３と、固定枠１０３の外周を回転可能に保持されるズームリング１０１と、固定枠１０３とズームリング１０１との間に、固定枠１０３の外周に沿って配置される接触部材１０８と、固定枠１０３とズームリング１０１との間に、固定枠１０３の外周に沿って配置される付勢部材１０４と、を備え、ズームリング１０１は、撮影時に利用される第１の摺動面１０１ａと、固定枠１０３に把持される筐体１１１が固定枠１０３内に沈胴する際に利用される第２の摺動面１０１ｂと、第１の摺動面１０１ａと第２の摺動面１０１ｂとの間に形成される第３の摺動面１０１ｃとを有し、接触部材１０８は、第１の摺動面１０１ａ、第２の摺動面１０１ｂおよび第３の摺動面１０１ｃを移動し、付勢部材１０４は、接触部材１０８を固定枠１０３の外周側に付勢し、第１の摺動面１０１ａは、第２の摺動面１０１ｂより、ズームリング１０１の外周に近く、第３の摺動面１０１ｃは第１の摺動面１０１ａの端と第２の摺動面１０１ｂの端とをつないでいる。
【００６２】
また、接触部材１０８は、第２の摺動面１０１ｂおよび第３の摺動面１０１ｃと線接触する半円筒形状の接触部材を有する。
【００６３】
さらに、第２の摺動面１０１ｂのズームリング１０１の外周に沿った第１の方向の長さが、接触部材１０８の第１の方向の長さより長い。
【００６４】
さらに、第１の摺動面１０１ａ、第２の摺動面１０１ｂおよび第３の摺動面１０１ｃ上を移動する接触部材１０８が配置される第１領域と、付勢部材１０４が配置される第２領域とが、異なる領域である。
【００６５】
以上のように、本出願において開示する技術の例示として、上記実施形態を説明した。しかしながら、本開示における技術は、これに限定されず、適宜、変更、置き換え、付加、省略などを行った実施の形態にも適用可能である。
（実施の形態２）
次に図９〜図１１を用いて、実施の形態２を例示する。なお、実施の形態１と同様の構成を有する箇所の説明は省略する。
【００６６】
図９（ａ）は実施の形態２における、交換レンズのレンズ鏡筒２００の分解斜視図、図９（ｂ）はレンズ鏡筒２００を別の角度から見た分解斜視図である。
【００６７】
レンズ鏡筒２００は、ズームリング２０１と、固定ユニット２０２とを有する。固定ユニット２０２は、固定枠２０３と、付勢部材２０４と、連結部材２０５とを有する。ズームリング２０１は、固定枠２０３の前側端面に連結部材２０５にて保持される。ズームリング２０１は、固定枠２０３に対して相対的に回転可能である。ズームリング２０１の回転軸Ｚは、交換レンズの光軸と同一である。
【００６８】
ズームリング２０１の内周側に設けたガイド溝２０１ｅは、固定枠２０３の外周側に配置したガイドリブ２０９と嵌合している。ガイド溝２０１ｅは、ズームリング２０１が固定枠２０３に対して回転軸Ｚ方向に移動しないように規制している。
【００６９】
ズームリング２０１の付勢部材２０４と対向する面には、回転軸Ｚ方向の位置が異なる第１の摺動面２０１ａ、及び第２の摺動面２０１ｂ、が形成されている。また、第１の摺動面２０１ａ、第２の摺動面２０１ｂの間には、第３の摺動面２０１ｃが形成されている。第２の摺動面２０１ｂは第１の摺動面２０１ａよりも固定枠２０３へ突出して設定されている。また、第２の摺動面２０１ｂの第３の摺動面２０１ｃと反対側の端部には、第４の摺動面２０１ｄが形成されている。
【００７０】
付勢部材２０４の中央付近にはズームリング２０１側に向けて円弧状の曲面突起２０４ａが構成されており、曲面突起２０４ａがズームリング２０１の摺動面と接触する。つまり、付勢部材２０４の曲面突起２０４ａは、回転軸Ｚ方向に沿って突き出ている。
【００７１】
図１０は固定ユニット２０２を正面から見た図を示す。図１０に示すように、正面から見た場合、曲面突起２０４ａは第１〜第４の摺動面２０１ａ〜２０１ｄ（図示せず）のいずれかと重なっている。
【００７２】
図１１（ａ）〜図１１（ｄ）は固定ユニット２０２にズームリング２０１を装着した状態を示す図である。この図１１は、図１０の回転軸Ｚを通るＫ−Ｋ線でカットした断面図である。
【００７３】
図１１（ａ）は沈胴状態を示す図である。図１１（ｂ）は切替状態を示す図である。図１１（ｃ）はワイド状態を示す図である。図１１（ｄ）はテレ状態を示す図である。
【００７４】
ユーザがズームリング２０１をＣ．Ｗ方向に回転操作すると、図１１（ａ）の沈胴状態から図１１（ｂ）に示す切替状態に移項する。この時、付勢部材２０４の曲面突起２０４ａがズームリング２０１の第４の摺動面２０１ｄ上から第２の摺動面２０１ｂ上に移動する。そして、付勢部材２０４がズームリング２０１を押圧する付勢力はＰからＰ２へと増大するため、ズームリング２０１を回転させるためには付勢部材２０４の増大する付勢力を上回る回転トルク、すなわち、切替トルクが必要となる。
【００７５】
ユーザがさらにズームリングをＣ．Ｗ方向に回転させて図１１（ｃ）に示す使用状態（ワイド状態）に達すると、付勢部材２０４がズームリング２０１を押圧する付勢力はＰ２からＰ１へと減少する。
【００７６】
ユーザがさらにズームリングをＣ．Ｗ方向に回転させると、図１１（ｄ）に示す使用状態（テレ状態）に達する。この時、付勢部材２０４がズームリング２０１を押圧する付勢力はＰ１のままである。
【００７７】
実施の形態１と同様に、使用状態であるワイド状態（図１１（ｃ））からテレ状態（図１１（ｄ））の間でズームリング２０１の操作に必要な回転トルクは、切替状態における回転トルクよりも小さくなる。
【００７８】
また、使用状態であるワイド状態から沈胴状態に戻す場合も同様に切替トルクが必要となり、ズームリング２０１の回転操作力の違いによりユーザは使用状態と切替状態との境界を区別することが可能となる。
【００７９】
付勢部材２０４は固定枠の円周に沿った円弧状の板バネで、固定枠２０３の半径方向の厚み幅に収まるように構成されている。同様に、ズームリング２０１の摺動面も固定枠２０３の内周側にはみ出さないように構成されており、切替トルクを発生させる小型のレンズ鏡筒を実現できる。
（実施の形態２の変形例）
次に、実施の形態２の変形例について、図１２を参照しながら説明する。なお図１２では、実施の形態２と同様の構成については、同一の符号を付して、詳細な説明を省略する。
【００８０】
図９〜図１１を参照しながら説明した実施の形態２では、付勢部材２０４を固定枠２０３に保持し、回転するズームリング２０１に第１の摺動面２０１ａ〜第４の摺動面２０１ｄを設けている。一方、図１２に示す実施の形態２の変形例では、回転するズームリングに付勢部材２０４を保持し、固定枠２０３に第１の摺動面２０１ａ〜第４の摺動面２０１ｄを設けている。
【００８１】
実施の形態２の変形例でも、実施の形態２と同様の効果を得ることができる。
【００８２】
以上のように、本開示における技術の例示として、実施の形態を説明した。そのために、添付図面および詳細な説明を提供した。
【００８３】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８４】
また、上述の実施の形態は、本開示における技術を例示するためのものであるから、特許請求の範囲またはその均等の範囲において種々の変更、置き換え、付加、省略などを行うことができる。
【産業上の利用可能性】
【００８５】
本開示は、レンズ筐体が沈胴する状態から撮影状態に切り替える際に切り換えトルクを必要とするレンズ鏡筒に適用可能である。具体的には、一眼レフカメラ等の交換レンズなどに、本開示は適用可能である。
【符号の説明】
【００８６】
１００  レンズ鏡筒
１０１  ズームリング
１０１ａ  第１の摺動面
１０１ｂ  第２の摺動面
１０１ｃ  第３の摺動面
１０１ｄ  第４の摺動面
１０１ｅ  ガイド溝
１０２  固定ユニット
１０３  固定枠
１０３ａ  開口部
１０４  付勢部材
１０５  連結部材
１０５ａ  連結部材
１０５ｂ  連結部材
１０６  レバー部材
１０６ａ  曲面状作用面
１０６ｂ  回転規制面
１０７  レバー回転軸
１０８  接触部材
１０９  ガイドリブ
１１０  マウント
１１１  筐体
１１２  カムフォロワ
１１３  カム溝
２００  レンズ鏡筒
２０１  ズームリング
２０１ａ  第１の摺動面
２０１ｂ  第２の摺動面
２０１ｃ  第３の摺動面
２０１ｄ  第４の摺動面
２０１ｅ  ガイド溝
２０２  固定ユニット
２０３  固定枠
２０４  付勢部材
２０４ａ  曲面突起
２０５  連結部材
２０８  付勢部材
２０９  ガイドリブ
【図１】
2015099349.tif 000003
【図２】
2015099349.tif 000004
【図３】
2015099349.tif 000005
【図４】
2015099349.tif 000006
【図５】
2015099349.tif 000007
【図６】
2015099349.tif 000008
【図７】
2015099349.tif 000009
【図８】
2015099349.tif 000010
【図９】
2015099349.tif 000011
【図１０】
2015099349.tif 000012
【図１１】
2015099349.tif 000013
【図１２】
2015099349.tif 000014